(57)【要約】【課題】前方から後方に至るすべてのフライトを、ビームが前進するときは槽底に略接する位置に、ビームが後退するときは槽底から離間した位置にスイングさせ、後方のフライトでの掻き寄せを確実に行うことのできるとともに、槽底のビームを持ち上げる必要のない汚泥掻寄機を提供すること。【解決手段】処理槽Ｐの水面上部に移動可能に配設した上ビーム３０と、上ビーム３０と吊りポスト６を介して連結した下ビーム４０と、水面上に設置した略矩形運動をするピンラック駆動装置２と、ピンラック駆動装置２の略矩形運動を伝えるスライド機構５とからなり、下ビーム４０には揺動自在に軸支した揺動軸４２にフライト取付アーム４３を介してフライト４１を配設するとともに、ピンラック駆動装置２の前後運動をスライド機構５に押圧される移動軸３１を介して上ビーム３０に、ピンラック駆動装置２の上下運動をスライド機構５の上下ロッド５３を介して揺動軸４２に固定したスイングアーム４４にそれぞれ伝達するようにする。【選択図】図１
2006061838.tif 000002
【特許請求の範囲】
【請求項１】
汚水処理槽の槽底に沿って汚泥掻き寄せのフライトを往復運動させ汚泥を掻き寄せる汚泥掻寄機において、処理槽の水面上部に移動可能に配設した上ビームと、上ビームと吊りポストを介して連結した下ビームと、水面上に設置した略矩形運動をするピンラック駆動装置と、ピンラック駆動装置の周回運動を伝えるスライド機構とからなり、下ビームには揺動自在に軸支した揺動軸にフライト取付アームを介してフライトを配設するとともに、ピンラック駆動装置の前後運動をスライド機構に押圧される移動軸を介して上ビームに、ピンラック駆動装置の上下運動をスライド機構の上下ロッドを介して揺動軸に固定したスイングアームにそれぞれ伝達するように構成したことを特徴とする汚泥掻寄機。
【請求項２】
隣接する各フライトを、連結ロッドにより揺動可能に軸支して連結したことを特徴とする請求項１記載の汚泥掻寄機。
【発明の詳細な説明】
【技術分野】
【０００１】
本発明は、汚泥掻寄機（沈砂を対象とする沈砂掻寄機を含み、本明細書において、単に、「汚泥掻寄機」という。）に関し、特に、下水や上水の汚水処理槽の槽底に沈積した汚泥を掻き寄せるようにした汚泥掻寄機に関するものである。
【背景技術】
【０００２】
従来、下水や上水の汚水処理槽に沈積した汚泥を掻き寄せ、排出する汚泥掻寄機として、汚水処理槽の槽底に沿って移動可能としたチェンに、多数の汚泥掻寄用フライトを取り付け、チェンの移動により槽底に沈積した汚泥を汚泥ピット側に掻き寄せ、排出するようにしたチェン式汚泥掻寄機が汎用されている。
【０００３】
ところで、従来の汚泥掻寄機は、汚水中の劣悪な環境下で、フライト及びチェンを駆動するようにしているため、その機構上、チェン及びフライト並びにその駆動部分や摺動部分が汚水中に位置し、このため、摩耗等によって傷みやすく、寿命が短いという問題があった。
【０００４】
この問題点に対処するために、本件出願人は、先に、略矩形運動（往復運動）をするようにしたビームの下面側に多数の汚泥掻寄用フライトを配設し、ビームを槽底に沿って略矩形運動をさせて、槽底に沈積した汚泥を掻き寄せるようにした汚泥掻寄機を提案した（特許文献１参照）。
【０００５】
ところで、この汚泥掻寄機は、図６に示すように、略矩形運動をするビームの前方のフライトはピンラック駆動装置の上下移行距離分だけ上下移動するものの、後方のフライトは十分に上下移動せずに前後運動のみであり掻き寄せ能力が十分でないという問題があった。
また、槽底のビームを持ち上げるため、ピンラック駆動装置の駆動力を大きなものとする必要があるという問題があった。
【特許文献１】特開２００１−１９０９０５号公報
【発明の開示】
【発明が解決しようとする課題】
【０００６】
本発明は、上記従来の汚泥掻寄機の有する問題点に鑑み、前方から後方に至るすべてのフライトを、ビームが前進するときは槽底に略接する位置に、ビームが後退するときは槽底から離間した位置にスイングさせ、後方のフライトでの掻き寄せを確実に行うことのできるとともに、槽底のビームを持ち上げる必要のない汚泥掻寄機を提供することを目的とする。
【課題を解決するための手段】
【０００７】
上記目的を達成するため、本発明の汚泥掻寄機は、汚水処理槽の槽底に沿って汚泥掻き寄せのフライトを往復運動させ汚泥を掻き寄せる汚泥掻寄機において、処理槽の水面上部に移動可能に配設した上ビームと、上ビームと吊りポストを介して連結した下ビームと、水面上に設置した略矩形運動をするピンラック駆動装置と、ピンラック駆動装置の略矩形運動を伝えるスライド機構とからなり、下ビームには揺動自在に軸支した揺動軸にフライト取付アームを介してフライトを配設するとともに、ピンラック駆動装置の前後運動をスライド機構に押圧される移動軸を介して上ビームに、ピンラック駆動装置の上下運動をスライド機構の上下ロッドを介して揺動軸に固定したスイングアームにそれぞれ伝達するように構成したことを特徴とする。
【０００８】
この場合において、隣接する各フライトを、連結ロッドにより揺動可能に軸支して連結することができる。
【発明の効果】
【０００９】
本発明の汚泥掻寄機によれば、ピンラック駆動装置の上下運動をスライド機構の上下ロッドを介し、リンクを構成してすべてのフライトを槽底から離間するように構成したから、すべてのフライトでの掻き寄せを確実に行うことができるとともに、下ビームを持ち上げる駆動力を必要としないようにすることができる。
【００１０】
また、隣接する各フライトを、連結ロッドにより揺動可能に軸支して連結することにより、１つの上下ロッドの上下運動を１つのフライトに伝達することにより、すべてのフライトのスイングを行うことができる。
【発明を実施するための最良の形態】
【００１１】
以下、本発明の汚泥掻寄機の実施の形態を、図面に基づいて説明する。
【実施例１】
【００１２】
図１〜図５に、本発明の汚泥掻寄機の一実施例を示す。
この汚泥掻寄機１は、汚水処理槽Ｐの槽底９の一端に汚泥ピットＰａ（浄水処理場では沈砂ピット）を形成し、汚泥掻寄機１により槽底９に沈積した汚泥を１箇所に集めるように掻き寄せ、汚水処理槽Ｐ外への排出を行いやすくするようにしている。
なお、槽底９は沈積汚泥の掻き寄せを、より効率的に行えるよう汚泥ピットＰａ側が若干低くなるように傾斜させるようにしている。
【００１３】
汚水処理槽Ｐに配設する汚泥掻寄機１は、処理槽Ｐの水面上部に移動可能に配設した上ビーム３０と、該上ビーム３０と吊りポスト６を介して連結した下ビーム４０と、該下ビーム４０に揺動軸４２を介して配設したフライト４１と、水面上に設置した略矩形運動をするピンラック駆動装置２と、ピンラック駆動装置２の略矩形運動を上ビーム３０と、揺動軸４２に伝えるスライド機構５とからなる。
上ビーム３０は、汚水処理槽Ｐの水面上部に固定した走行レール３３上にローラ３２を介して前後に移動可能に載置する。
上ビーム３０と汚水処理槽Ｐ内の下ビーム４０とは、吊りポスト６によって連結する。
この吊りポスト６は多点吊りとすることによって下ビーム４０に作用する荷重を分散することができ、装置全体を軽量化できる。
対となる上ビーム３０は、移動軸３１によって連結され、該移動軸３１をスライド機構５１に形成した縦孔５２に通すことによってピンラック駆動装置２の略矩形運動のうち前後運動（図２に示す矢符ａ、矢符ｂ）が前進時は縦穴５２の内面５２ａから後退時は内面５２ｂからそれぞれ伝達される。
この際、移動軸３１は図２に示すような小判型又は立方体に構成することによりスライド機構５の鉛直を保つことができる。
【００１４】
また、図４（ａ）に示すように、スライド機構５に縦孔５２を設けることなく、移動軸３１にガイドボックス３４を配設することができる。
このガイドボックス３４はスライド機構５から延設される上下ロッド５３の進退を許容する挿入口３５を備え、スライド機構５の鉛直を保ったまま前後への移行を移動軸３１を介して上ビーム３０に伝達するように構成する。
ガイドボックス３４に形成した挿入口３５内面は、上下ロッド５３の上下運動を円滑に行うようにするため摩擦抵抗が低く摺動性のある、例えば、オイレスブッシュ３６を圧入して構成する（図４（ｂ）参照）ほか、上下ロッド５２を挟み込むようにガイドローラ３５を配設（図４（ｃ）参照）してもよい。
【００１５】
対となる下ビーム４０は、吊りポスト６を介して、ピンラック装置２の略矩形運動のうち前後運動を伝達するとともに、その内面をベアリングなどの支持部材によって揺動自在に軸支した揺動軸４２によって連結する。
揺動軸４２には、フライト取付アーム４３を介してフライト４１を配設する。
また、揺動軸４２には、上下ロッド５３と枢着するスイングアーム４４を備え、上下ロッド５３の上下運動によってスイングアーム４４が揺動し、同軸上のフライト取付アーム４３が揺動することによって、図２に示すように、すべてのフライト４１が、実線から一点破線、一点破線から実線にスイングするようにする。
上下ロッド５３とスイングアーム４４は、スイングアーム４４に設けた長孔４４ａに上下ロッド５３の先端を枢着するようにするから、揺動軸４２には前後方向に移動する力が伝わることはない。
【００１６】
この揺動軸４２とフライト４１は、ピンラック駆動装置２のストローク長Ｌ２と等しいか、若干短い所定の間隔Ｌ１で、汚水処理槽Ｐの長手方向全域をカバーするようにビーム４０に配設する。
【００１７】
各フライト４１をスイングさせる方法として、フライト取付アーム４３を一側に延設し、その端部に連結ロッド４５を枢着してリンクを構成するほか、図５（ａ）に示すように、フライト４１の汚泥を掻き寄せる下面以外の適所に連結ロッド４５を枢着する取付部分４６を配設するように構成してもよい。
また、図５（ｂ）に示すように、上下ロッド５３を適所で分岐せしめ、各揺動軸４２にスイングアーム４４を備えるように構成してもよい。
【００１８】
上記構成において、汚泥の掻き寄せ要領を図２〜図３に基づいて説明する。
まず、スライド機構５がピンラック駆動装置２の右上の位置でフライト４１が槽底９から少しの隙間、具体的には１０ｍｍ程度の隙間をあけた状態から汚泥掻寄方向、すなわち、汚泥ピットＰａに向かって前進移動する（図３（ａ）参照）。
これにより先頭のフライト４１によって掻き寄せられた汚泥は汚泥ピットＰａに落ち、それ以外のフライト４１によって掻き寄せた汚泥は、１つ汚泥ピットＰａ寄りのフライト４１が図３（ａ）の状態で受け取ることのできる位置まで汚泥を掻き寄せる（図３（ｂ）参照）。
【００１９】
次に、スライド機構５がピンラック駆動装置２の左下の位置に移行することにより上下ロッド５３が距離Ｈだけ下がる。これにより、リンクを構成するスイングアーム４４が揺動軸４２を揺動中心に図２に示す矢符ｃ方向に揺動し、フライト取付アーム４３を介し、フライト４１が槽底９から離間する（図３（ｃ）参照）。
【００２０】
フライト４１が槽底９から離間した状態で、ピンラック駆動装置２のストーローク長Ｌ２だけ後退する（図３（ｄ）参照）。
その後、図３（ａ）の位置に復帰し、１つ後方のフライトが掻き寄せた槽底９の汚泥をフライト４１によって汚泥ピットＰａに向かって移行させ、以下、上記の行程を繰り返し行う。
【００２１】
以上、本発明の汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の汚泥掻寄機は、ピンラック駆動装置の設置位置が規制されることがないという特性を有していることから、従来方式の汚水処理槽Ｐに用いることができるほか、例えば、従来方式の如く汚水処理槽の汚泥ピット近傍上部に駆動装置が設置できないような汚水処理槽であっても適用することができる。
【図面の簡単な説明】
【００２３】
【図１】本発明の汚泥掻寄機の一実施例を示す斜視図である。
【図２】同汚泥掻寄機のピンラック駆動装置の略矩形運動によるフライトの動きを説明する側面図である。
【図３】同汚泥掻寄機の汚泥掻き寄せ要領を説明する側面図である。
【図４】本発明の汚泥掻寄機のスライド機構と移動軸の別の実施例を示し、（ａ）は全体斜視図、（ｂ）、（ｃ）は（ａ）のＸ−Ｘ断面を示す説明図である。
【図５】本発明の汚泥掻寄機のピンラック駆動装置の略矩形運動の上下運動をフライトに伝達する機構の別の実施例を示す説明図である。
【図６】従来の汚泥掻寄機の説明図である。
【符号の説明】
【００２４】
１    汚泥掻寄機
２    ピンラック駆動装置
５    スライド機構
６    吊りポスト
３０  上ビーム
３１  移動軸
４０  下ビーム
４１  フライト
４２  揺動軸
４３  フライト取付アーム
４４  スイングアーム
５３  上下ロッド
【図１】
2006061838.tif 000003
【図２】
2006061838.tif 000004
【図３】
2006061838.tif 000005
【図４】
2006061838.tif 000006
【図５】
2006061838.tif 000007
【図６】
2006061838.tif 000008